(57)【要約】【課題】  側方に障害物がある場合であっても、カバーをベースから容易に取り外すことができる、配線・配管材の保護部材を提供する。【解決手段】  保護部材１０は、壁１に固定されるベース３と、そのベース３に上方から被るカバー４とを備える。ここで、ベース３とカバー４との組付け状態を維持すべく、ベース３は、被係合部３ｂを有するとともに、カバー４は、被係合部３ｂと係合する係合部４ｂを有する。そして、ベース３とカバー４の少なくとも一方には、押圧されることで、係合状態にある被係合部３ｂまたは係合部４ｂを弾性的に変位させて、その係合を解除する係合解除部５が設けられている。この係合解除部５は、カバー４の上方から工具で押圧され得るように、カバー４の上方に開放する空間Ｓに面している。【選択図】  図３
2006292002.tif 000002
【特許請求の範囲】
【請求項１】
建物の壁に沿って配設される配線・配管材を収容して保護すべく、前記壁に配置される保護部材であって、
前記壁に固定されるベースと、そのベースとの間で前記配線・配管材を収容するように、そのベースに前記壁から離れた側となる上方から被るカバーとを備え、
前記ベースと前記カバーとの組付け状態を維持すべく、前記ベースは、その側壁に、被係合部を有するとともに、前記カバーは、その側壁に、前記被係合部と係合する係合部を有し、
前記ベースと前記カバーの少なくとも一方には、押圧されることで、係合状態にある前記被係合部と前記係合部の少なくとも一方を弾性的に変位させて、その係合を解除する係合解除部が設けられ、
前記係合解除部は、前記カバーの上方から工具で押圧され得るように、前記カバーの上方に開放する空間に面することを特徴とする、配線・配管材の保護部材。
【請求項２】
前記カバーの側壁には、前記空間を形成する凹部が設けられていることを特徴とする請求項１に記載の、配線・配管材の保護部材。
【請求項３】
前記凹部は、上下方向に延設されるように形成され、その凹部に沿って、前記工具を、前記カバーの上方から下方に移動させることで、前記工具が前記係合解除部を押圧して、前記係合が解除されることを特徴とする請求項２に記載の、配線・配管材の保護部材。
【請求項４】
前記被係合部と前記係合部の少なくとも一方は、前記係合解除部の押圧により、前記係合が解除されるように、前記保護部材の内方に弾性的に変位することを特徴とする請求項１ないし３のいずれか１項に記載の、配線・配管材の保護部材。
【請求項５】
前記工具が、前記係合解除部を押圧して、前記工具の先端が、前記被係合部と前記係合部との境界部分に押し入れられることで、前記係合の解除が維持されることを特徴とする請求項１ないし４のいずれか１項に記載の、配線・配管材の保護部材。
【請求項６】
前記保護部材は、前記建物の壁の出隅部または入隅部を横切って配設される前記配線・配管材を収容して保護すべく、前記出隅部または入隅部に配置される保護部材であって、
前記出隅部または入隅部に対応して屈曲した屈曲部を有し、
前記カバーは、前記出隅部または入隅部に固定された前記ベースに対し、その出隅部または入隅部を構成する互いに直交する二壁面に対して略４５度の傾斜方向から組み付けられ、
前記被係合部および前記係合部、並びに前記係合解除部は、前記屈曲部に設けられ、その係合解除部が、前記傾斜方向から前記空間に入る前記工具に押圧されることで、前記係合が解除されることを特徴とする請求項１ないし５のいずれか１項に記載の、配線・配管材の保護部材。
【発明の詳細な説明】
【技術分野】
【０００１】
この発明は、建物の壁に沿って配設される配線・配管材の保護部材に関するものである。
【背景技術】
【０００２】
従来、建物の壁に沿って配設される電気ケーブルとかエアコン用冷媒管等の配線・配管材を収容する、保護部材があった（例えば、特許文献１参照）。かかる保護部材は、図１０に示されるように、配線・配管材４０を収容すべく、壁４１に固定されるベース４２と、そのベース４２に被るカバー４３とから構成されていた。ここで、これらベース４２とカバー４３には、その両者の組付け状態が保持されるように、互いに係合する被係合部４２ａと係合部４３ａとが設けられていた。そして、カバー４３をベース４２から取り外す際には、カバー４３の係合部４３ａ付近に設けられた押圧部４３ｂを側方から押圧することで、前記係合を解除していた。
【０００３】
【特許文献１】特開平９−３１７９８３号公報
【発明の開示】
【発明が解決しようとする課題】
【０００４】
ところで、前記従来の保護部材にあっては、カバー４３をベース４２から取り外すには、カバー４３の押圧部４３ｂを側方から押圧する必要があった。しかし、この保護部材が、壁際に沿って配設される場合等には、この保護部材と、側方の壁との間隙に手などを挿入することができず、その壁際側の被係合部４２ａと係合部４３ａとの係合を解除することが非常に困難であった。
【０００５】
この発明は、上記した従来の欠点を解決するためになされたものであり、その目的とするところは、側方に障害物がある場合であっても、カバーをベースから容易に取り外すことができる、配線・配管材の保護部材を提供することにある。
【課題を解決するための手段】
【０００６】
この発明に係る配線・配管材の保護部材は、前記目的を達成するために、次の構成からなる。すなわち、
請求項１に記載の発明に係る配線・配管材の保護部材は、建物の壁に沿って配設される配線・配管材を収容して保護すべく、前記壁に配置される保護部材である。この保護部材は、前記壁に固定されるベースと、そのベースとの間で前記配線・配管材を収容するように、そのベースに前記壁から離れた側となる上方から被るカバーとを備える。ここで、前記ベースと前記カバーとの組付け状態を維持すべく、前記ベースは、その側壁に、被係合部を有するとともに、前記カバーは、その側壁に、前記被係合部と係合する係合部を有する。そして、前記ベースと前記カバーの少なくとも一方には、押圧されることで、係合状態にある前記被係合部と前記係合部の少なくとも一方を弾性的に変位させて、その係合を解除する係合解除部が設けられ、その係合解除部は、前記カバーの上方から工具で押圧され得るように、前記カバーの上方に開放する空間に面する。
【０００７】
この保護部材によると、係合解除部が、カバーの上方に開放する空間に面することで、この係合解除部をカバーの上方から工具で押圧することができる。そして、この押圧により、係合状態にあるベース側の被係合部とカバー側の係合部の少なくとも一方が、弾性的に変位し、その係合が解除される。こうして、被係合部と係合部との係合が解除され、カバーがベースから取り外される。そして、このように、係合解除部をカバーの上方から押圧することで、この保護部材の側方に障害物がある場合であっても、その障害物に邪魔されることなく、被係合部と係合部との係合を解除して、カバーをベースから容易に取り外すことができる。
【０００８】
また、請求項２に記載の発明に係る配線・配管材の保護部材は、請求項１に記載の保護部材において、前記カバーの側壁には、前記空間を形成する凹部が設けられている。
【０００９】
また、請求項３に記載の発明に係る配線・配管材の保護部材は、請求項２に記載の保護部材において、前記凹部は、上下方向に延設されるように形成され、その凹部に沿って、前記工具を、前記カバーの上方から下方に移動させることで、前記工具が前記係合解除部を押圧して、前記係合が解除される。すなわち、工具が、凹部に案内されて係合解除部を押圧する。このため、係合解除部を的確に押圧することができ、被係合部と係合部との係合を確実に解除することができる。
【００１０】
また、請求項４に記載の発明に係る配線・配管材の保護部材は、請求項１ないし３のいずれか１項に記載の保護部材において、前記被係合部と前記係合部の少なくとも一方は、前記係合解除部の押圧により、前記係合が解除されるように、前記保護部材の内方に弾性的に変位する。このように、被係合部と係合部との係合を解除するにあたって、それら被係合部と係合部との少なくとも一方が、保護部材の内方に変位することで、この保護部材が側方に広がるのが抑えられる。したがって、保護部材の側方に障害物がある場合にも、その障害物により前記係合の解除が妨げられることを避けることができる。
【００１１】
また、請求項５に記載の発明に係る配線・配管材の保護部材は、請求項１ないし４のいずれか１項に記載の保護部材において、前記工具が、前記係合解除部を押圧して、前記工具の先端が、前記被係合部と前記係合部との境界部分に押し入れられることで、前記係合の解除が維持される。
【００１２】
また、請求項６に記載の発明に係る配線・配管材の保護部材は、請求項１ないし５のいずれか１項に記載の保護部材において、前記建物の壁の出隅部または入隅部を横切って配設される前記配線・配管材を収容して保護すべく、前記出隅部または入隅部に配置される保護部材である。そして、保護部材は、前記出隅部または入隅部に対応して屈曲した屈曲部を有する。そこで、前記カバーは、前記出隅部または入隅部に固定された前記ベースに対し、その出隅部または入隅部を構成する互いに直交する二壁面に対して略４５度の傾斜方向から組み付けられる。そして、前記被係合部および前記係合部、並びに前記係合解除部は、前記屈曲部に設けられ、その係合解除部が、前記傾斜方向から前記空間に入る前記工具に押圧されることで、前記係合が解除される。
【発明の効果】
【００１３】
この発明に係る配線・配管材の保護部材によれば、係合解除部をカバーの上方から押圧することができるため、保護部材の側方に障害物がある場合であっても、その障害物に邪魔されることなく、被係合部と係合部との係合を解除して、カバーをベースから容易に取り外すことができる。
【発明を実施するための最良の形態】
【００１４】
以下、この発明を実施するための最良の形態を図面に基づいて説明する。
【００１５】
図１ないし図３は、本発明の第一の実施の形態を示す。図中符号１は、建物の壁である。１０は、ダクトとかモール等からなる、配線・配管材（図示せず）の保護部材であって、前記建物の壁１に沿って配設される配線・配管材を収容して保護すべく、その壁１に配置される。
【００１６】
保護部材１０は、壁１に固定されるベース３と、そのベース３との間で配線・配管材を収容するように、そのベース３に壁１から離れた側となる上方から被るカバー４とを備えている。ここで、ベース３とカバー４との組付け状態を維持すべく、ベース３は、その側壁３ａに、被係合部３ｂを有するとともに、カバー４は、その側壁４ａに、ベース３の被係合部３ｂと係合する係合部４ｂを有している。そして、ベース３とカバー４の少なくとも一方には、押圧されることで、係合状態にある被係合部３ｂと係合部４ｂの少なくとも一方を弾性的に変位させて、その係合を解除する係合解除部５が設けられている。また、この係合解除部５は、カバー４の上方からドライバー等の工具で押圧され得るように、カバー４の上方に開放する空間Ｓに面する（図３参照）。そこで、係合解除部５が、カバー４の上方から空間Ｓに入る工具に押圧されることで、被係合部３ｂと係合部４ｂとの係合が解除される。
【００１７】
また、カバー４の側壁４ａには、前記空間Ｓを形成する凹部４ｃが設けられている。図示実施の形態においては、この凹部４ｃは、上下方向に延設されるように形成されている。そして、この凹部４ｃに沿って、ドライバー等の工具を、カバー４の上方から下方に移動させることで、前記工具が係合解除部５を押圧して、被係合部３ｂと係合部４ｂとの係合が解除される。そして、工具が、係合解除部５を押圧して、その工具の先端が、被係合部３ｂと係合部４ｂとの境界部分に押し入れられることで、前記係合の解除が維持される。また、特に、被係合部３ｂと係合部４ｂの少なくとも一方（図示実施の形態においては、係合部４ｂ）は、係合解除部５の押圧により、前記係合が解除されるように、保護部材１０の内方に弾性的に変位するようになっている。
【００１８】
具体的には、保護部材１０は、壁１の一壁面１ａ上で、曲がって配設される配線・配管材の、その曲り部を収容する保護部材であって、配線・配管材の曲り部に合わせて屈曲して形成されている。そして、保護部材１０は、その屈曲して延びる各端部に、他の保護部材６（例えば、直状の保護部材）を接続するための接続部１０ａが設けられている。ここで、ベース３は、前記壁面１ａに当接する底壁３ｃと、その底壁３ｃから立ち上る前記側壁３ａ、３ａとから構成されている。そして、底壁３ｃには、このベース３を壁１に取付固定するための取付孔３ｄが明けられている。そこで、前記被係合部３ｂは、側壁３ａの上端部分に、内側に向かって爪状に突出して形成されている。そして、この被係合部３ｂは、外側の側壁３ａには、その屈曲する角部からそれぞれ離れて二つ設けられ、内側の側壁３ａには、その屈曲する角部に一つ設けられている。また、前記係合解除部５は、主として、被係合部３ｂの一部、特にその上面３ｆからなっており、この被係合部３ｂの上面３ｆは、先端側ほど下がるように傾斜して形成されている。
【００１９】
カバー４は、天壁４ｄと、その天壁４ｄから下がる前記側壁４ａ、４ａとから構成されている。そして、側壁４ａには、ベース３における被係合部３ｂと対向するように、下方に延設された延設片４ｅが設けられている。そこで、前記係合部４ｂは、側壁４ａの一部を構成する延設片４ｅの下端部分に、外側に向かって爪状に突出して形成されている。また、前記凹部４ｃは、この係合部４ｂから上方に抜けるように形成されており、その結果、このカバー４とベース３とが組み付けられた後には、凹部４ｃは、係合解除部５（被係合部３ｂの上面３ｆ）からカバー４の上方に抜け、この凹部４ｃによって形成される空間Ｓは、カバー４の上方に開放することとなる。そして、この凹部４ｃの底面４ｆは、前記被係合部３ｂの上面３ｆに加えられて、その上面３ｆとともに係合解除部５を形成する、副次的な係合解除部５を構成している。
【００２０】
次に、以上の構成からなる保護部材１０の作用効果について説明する。この保護部材１０によると、係合解除部５が、カバー４の上方に開放する空間Ｓに面することで、この係合解除部５をカバー４の上方からドライバー等の工具で押圧することができる。そして、この押圧により、係合状態にあるベース３側の被係合部３ｂとカバー４側の係合部４ｂの少なくとも一方（図示実施の形態においては、両方）が、弾性的に変位し、その係合が解除される。こうして、被係合部３ｂと係合部４ｂとの係合が解除され、カバー４がベース３から取り外される。そして、このように、係合解除部５をカバー４の上方から押圧することで、この保護部材１０の側方に障害物がある場合であっても、その障害物に邪魔されることなく、被係合部３ｂと係合部４ｂとの係合を解除して、カバー４をベース３から容易に取り外すことができる。
【００２１】
さらに、被係合部３ｂと係合部４ｂとの係合の解除にあたって、カバー４に設けられた凹部４ｃに沿って、工具を、カバー４の上方から下方に移動させることで、工具が係合解除部５を押圧して、前記係合が解除される。すなわち、工具が、凹部４ｃに案内されて係合解除部５を押圧する。このため、係合解除部５を的確に押圧することができ、被係合部３ｂと係合部４ｂとの係合を確実に解除することができる。
【００２２】
また、被係合部３ｂと係合部４ｂとの係合を解除するにあたって、それら被係合部３ｂと係合部４ｂとの少なくとも一方（図示実施の形態においては、係合部４ｂ）が、保護部材１０の内方に弾性的に変位することで、この保護部材１０が側方に広がるのが抑えられる。したがって、保護部材１０の側方に障害物がある場合にも、その障害物により前記係合の解除が妨げられることを避けることができる。なお、図示実施の形態においては、工具の側面が、係合解除部５を構成する凹部４ｃの底面４ｆを押圧することで、前記係合部４ｂが、保護部材１０の内方に弾性的に変位するとともに、工具の先端が、係合解除部５を構成する被係合部３ｂの一部（詳細には上面３ｆ）を押圧することで、その被係合部３ｂが、保護部材１０の外方に弾性的に変位する。
【００２３】
また、工具が、係合解除部５を押圧して、被係合部３ｂと係合部４ｂとの係合が解除された後には、その工具の先端が、被係合部３ｂと係合部４ｂとの境界部分に押し入れられ、前記係合の解除が維持される。そして、このように、係合の解除が維持されることで、カバー４をベース３から確実に取り外すことができる。
【００２４】
図４ないし図６は、本発明の第二の実施の形態を示す。この第二の実施の形態に示す保護部材２０は、建物の壁１の出隅部１ｂに配置される保護部材であり、前述の第一の実施の形態における保護部材１０とは、その要部は同じであり、以下に異なる部分を主に説明する。
【００２５】
保護部材２０は、建物の壁１の出隅部１ｂを横切って配設される配線・配管材（図示せず）を収容して保護すべく、前記出隅部１ｂに配置される。この保護部材２０は、出隅部１ｂに対応して屈曲した屈曲部２０ａを有している。ここで、カバー４は、出隅部１ｂに固定されたベース３に対し、その出隅部１ｂを構成する互いに直交する二壁面１ｃ、１ｃに対して略４５度の傾斜方向Ｐから組み付けられる。そして、被係合部３ｂおよび係合部４ｂ、並びに係合解除部５は、前記屈曲部２０ａに設けられ、その係合解除部５が、カバー４の上方から（詳細には、前記傾斜方向Ｐから）空間Ｓに入るドライバー等の工具に押圧されることで、被係合部３ｂと係合部４ｂとの係合が解除される。
【００２６】
具体的には、保護部材２０は、上述のように、壁１の出隅部１ｂに対応して屈曲した屈曲部２０ａを有しており、その屈曲して延びる各端部には、他の保護部材６（例えば、直状の保護部材）を接続するための接続部２０ｂが設けられている。ここで、ベース３は、前記出隅部１ｂを構成する二壁面１ｃ、１ｃに当接すべく屈曲形成された底壁３ｃと、その底壁３ｃから立ち上る側壁３ａ、３ａとから構成されている。そして、底壁３ｃには、このベース３を壁１の出隅部１ｂに取付固定するための取付孔３ｄが明けられている。そこで、被係合部３ｂは、側壁３ａの上端部分に、内側に向かって爪状に突出して形成されている。そして、この被係合部３ｂは、各側壁３ａに、その中央位置する角部に設けられている。また、係合解除部５は、主として、被係合部３ｂの一部、特にその上面３ｆからなっており、この被係合部３ｂの上面３ｆは、先端側ほど下がるように傾斜して形成されている。
【００２７】
カバー４は、天壁４ｄと、その天壁４ｄから下がる側壁４ａ、４ａとから構成されている。そして、各側壁４ａには、その中央位置する角部に、ベース３における被係合部３ｂと対向するように、下方に延設された延設片４ｅが設けられている。そこで、係合部４ｂは、側壁４ａの一部を構成する延設片４ｅの下端部分に、外側に向かって爪状に突出して形成されている。また、凹部４ｃは、側壁４ａの角部において、この係合部４ｂから上方に抜けるように形成されており、その結果、このカバー４とベース３とが組み付けられた後には、凹部４ｃは、係合解除部５（被係合部３ｂの上面３ｆ）からカバー４の上方に抜け、この凹部４ｃによって形成される空間Ｓは、カバー４の上方に開放することとなる。そして、この凹部４ｃの底面４ｆは、前記被係合部３ｂの上面３ｆに加えられて、その上面３ｆとともに係合解除部５を形成する、副次的な係合解除部５を構成している。なお、この第二の実施の形態に示す保護部材２０の作用効果は、前述の第一の実施の形態における保護部材１０と同様である。
【００２８】
図７ないし９は、本発明の第三の実施の形態を示す。この第三の実施の形態に示す保護部材３０は、建物の壁１の入隅部１ｄに配置される保護部材であり、前述の第一の実施の形態における保護部材１０とは、その要部は同じであり、以下に異なる部分を主に説明する。
【００２９】
保護部材３０は、建物の壁１の入隅部１ｄを横切って配設される配線・配管材（図示せず）を収容して保護すべく、前記入隅部１ｄに配置される。この保護部材３０は、入隅部１ｄに対応して屈曲した屈曲部３０ａを有している。ここで、カバー４は、入隅部１ｄに固定されたベース３に対し、その入隅部１ｄを構成する互いに直交する二壁面１ｅ、１ｅに対して略４５度の傾斜方向Ｑから組み付けられる。そして、被係合部３ｂおよび係合部４ｂ、並びに係合解除部５は、前記屈曲部３０ａに設けられ、その係合解除部５が、カバー４の上方から（詳細には、前記傾斜方向Ｑから）空間Ｓに入るドライバー等の工具に押圧されることで、被係合部３ｂと係合部４ｂとの係合が解除される。
【００３０】
具体的には、保護部材３０は、上述のように、壁１の入隅部１ｄに対応して屈曲した屈曲部３０ａを有しており、その屈曲して延びる各端部には、他の保護部材６（例えば、直状の保護部材）を接続するための接続部３０ｂが設けられている。ここで、ベース３は、前記入隅部１ｄを構成する二壁面１ｅ、１ｅに当接すべく屈曲形成された底壁３ｃと、その底壁３ｃから立ち上る側壁３ａ、３ａとから構成されている。そして、底壁３ｃには、このベース３を壁１の入隅部１ｄに取付固定するための取付孔３ｄが明けられている。そこで、被係合部３ｂは、側壁３ａの上端部分に、内側に向かって爪状に突出して形成されている。そして、この被係合部３ｂは、各側壁３ａに、その中央位置する角部に設けられている。また、係合解除部５は、主として、被係合部３ｂの一部、特にその上面３ｆからなっており、この被係合部３ｂの上面３ｆは、先端側ほど下がるように傾斜して形成されている。
【００３１】
カバー４は、天壁４ｄと、その天壁４ｄから下がる側壁４ａ、４ａとから構成されている。そして、各側壁４ａには、その中央位置する角部に、ベース３における被係合部３ｂと対向するように、下方に延設された延設片４ｅが設けられている。そこで、係合部４ｂは、側壁４ａの一部を構成する延設片４ｅの下端部分に、外側に向かって爪状に突出して形成されている。また、凹部４ｃは、側壁４ａの角部において、この係合部４ｂから上方に抜けるように形成されており、その結果、このカバー４とベース３とが組み付けられた後には、凹部４ｃは、係合解除部５（被係合部３ｂの上面３ｆ）からカバー４の上方に抜け、この凹部４ｃによって形成される空間Ｓは、カバー４の上方に開放することとなる。そして、この凹部４ｃの底面４ｆは、前記被係合部３ｂの上面３ｆに加えられて、その上面３ｆとともに係合解除部５を形成する、副次的な係合解除部５を構成している。なお、この第三の実施の形態に示す保護部材３０の作用効果は、前述の第一の実施の形態における保護部材１０と同様である。
【００３２】
ところで、本発明は、上述した実施の形態に限定されるわけではなく、その他種々の変更が可能である。例えば、保護部材は、建物の壁１の一壁面１ａ上で曲がって配設される配線・配管材を収容したり、壁１の出隅部１ｂとか入隅部１ｄを横切って配設される配線・配管材を収容したりするように、屈曲して形成されたものでなくとも、直状に配設された配線・配管材を収容するように、直状に形成されたものであってもよい。
【００３３】
また、カバー４の側壁４ａには、上方に開放する空間Ｓを形成するように、凹部４ｃが設けられているが、カバー４の側壁４ａ全体をベース３の側壁３ａよりも内側に位置させたり、ベース３の被係合部３ｂが設けられた部分の側壁３ａを外側に張り出させたりして、この凹部４ｃをなくしてもよい。
【００３４】
また、係合解除部５を構成する被係合部３ｂの上面３ｆは、先端側ほど下がるように傾斜して形成されなくとも、例えば、上下方向に対して直交する方向（横方向）に延びるように形成されても構わない。
【図面の簡単な説明】
【００３５】
【図１】この発明の第一の実施の形態の正面図である。
【図２】同じく、左側面図である。
【図３】同じく、図１におけるＡ−Ａ線による断面図である。
【図４】この発明の第二の実施の形態の側面図である。
【図５】同じく、図４におけるＢ矢視図である。
【図６】同じく、図５におけるＣ−Ｃ線による断面図である。
【図７】この発明の第三の実施の形態の側面図である。
【図８】同じく、図７におけるＤ矢視図である。
【図９】同じく、図８におけるＥ−Ｅ線による断面図である。
【図１０】従来の保護部材を示す断面図である。
【符号の説明】
【００３６】
１  建物の壁
１ｂ  出隅部
１ｃ  二壁面
１ｄ  入隅部
１ｅ  二壁面
３  ベース
３ａ  側壁
３ｂ  被係合部
４  カバー
４ａ  側壁
４ｂ  係合部
４ｃ  凹部
５  係合解除部
１０、２０、３０  保護部材
２０ａ、３０ａ  屈曲部
Ｐ、Ｑ  傾斜方向
Ｓ  空間
【図１】
2006292002.tif 000003
【図２】
2006292002.tif 000004
【図３】
2006292002.tif 000005
【図４】
2006292002.tif 000006
【図５】
2006292002.tif 000007
【図６】
2006292002.tif 000008
【図７】
2006292002.tif 000009
【図８】
2006292002.tif 000010
【図９】
2006292002.tif 000011
【図１０】
2006292002.tif 000012